(57)【要約】【課題】  音声ブラウザを利用するユーザや、ブラウザの画面を見ることができない状況にあるユーザでも、ウェブページのデザインまたは見た目に関する情報を把握することができるウェブコンテンツ閲覧装置、ウェブコンテンツ閲覧層の制御方法及びプログラムを提供することを目的とするものである。【解決手段】  所定のネットワークを介して、ウェブコンテンツを閲覧するウェブコンテンツ閲覧装置において、ＵＲＬを指定してアクセスしたウェブサーバから受信したコンテンツデータについて、スタイルシート情報を解析するスタイルシート情報解析手段と、上記ＵＲＬと、上記解析されたスタイルシート情報とに応じて、音声データを再生し、上記ウェブサイトのデザインに関する情報を、音声で提供する音声再生手段とを有することを特徴とするウェブコンテンツ閲覧装置である。【選択図】  図１
2006134178.tif 000002
【特許請求の範囲】
【請求項１】
所定のネットワークを介して、ウェブコンテンツを閲覧するウェブコンテンツ閲覧装置において、
ＵＲＬを指定してアクセスしたウェブサーバから受信したコンテンツデータについて、スタイルシート情報を解析するスタイルシート情報解析手段と；
上記ＵＲＬと、上記解析されたスタイルシート情報とに応じて、音声データを再生し、上記ウェブサイトのデザインに関する情報を、音声で提供する音声再生手段と；
を有することを特徴とするウェブコンテンツ閲覧装置。
【請求項２】
所定のネットワークを介して、ウェブコンテンツを閲覧するウェブコンテンツ閲覧装置を制御する方法において、
ＵＲＬを指定してアクセスしたウェブサーバから受信したコンテンツデータについて、スタイルシート情報を解析し、メモリに記憶するスタイルシート情報解析工程と；
上記ＵＲＬと、上記解析されたスタイルシート情報とに応じて、音声データを再生し、上記ウェブサイトのデザインに関する情報を、音声出力部が音声で提供する音声再生工程と；
を有することを特徴とするウェブコンテンツ閲覧装置の制御方法。
【請求項３】
所定のネットワークを介して、ウェブコンテンツを閲覧するウェブコンテンツ閲覧装置を制御するプログラムにおいて、
ＵＲＬを指定してアクセスしたウェブサーバから受信したコンテンツデータについて、スタイルシート情報を解析し、メモリに記憶するスタイルシート情報解析手順と；
上記ＵＲＬと、上記解析されたスタイルシート情報とに応じて、音声データを再生し、上記ウェブサイトのデザインに関する情報を、音声出力部が音声で提供する音声再生手順と；
をコンピュータに実行させるプログラム。
【発明の詳細な説明】
【技術分野】
【０００１】
本発明は、コンテンツデータに含まれているスタイルシートの情報を用いることによって、ウェブサイトのデザインに応じて動作するウェブコンテンツ閲覧装置、ウェブコンテンツ閲覧装置の制御方法及びプログラムに関する。
【背景技術】
【０００２】
近年のネットワークインフラの整備・ブロードバンド化、コンピュータの普及等によって、インターネットに接続してウェブコンテンツを閲覧することは、日常的である。また、音声ブラウザの登場によって、目の不自由な方も、ウェブコンテンツを閲覧することが可能である（たとえば、特許文献１参照）。
【０００３】
「音声ブラウザ」は、ウェブページの内容を、合成音声によって読み上げるソフトウェアである。ただし、音声は、視覚情報とは異なり、同時に複数の情報を提示することが難しい。また、音声ブラウザは、基本的に、ＨＴＭＬソースのテキスト部分を上から順に読み上げるので、たとえば、見た目等、デザイン上の理由でテーブル要素を使う場合、意味の通らない読み上げ文章になり、ユーザの理解を阻害する可能性がある。このために、本文以外の見た目に関する部分を、スタイルシートによって、指定し、見た目またはデザインと、本文とを分離することが望ましいとされている。
【０００４】
一方で、ウェブサイトは、そのサイト内で、色合いや大まかな構成を統一し、共通のナビゲーションの仕組みを取り入れる等、サイトの外観、見た目で統一感を出している。また、通常のブラウザを利用するユーザは、この視覚的な記憶を、以後、サイトの識別や判断の材料として使うと考えられている。
【０００５】
たとえば、昨今ユーザが急増しているブログ（Ｗｅｂｌｏｇ）サイトの多くにおいて、サイト作者は、サービス提供者が用意する多くのデザインテンプレートの中から１つを選び、サイトのデザインを決定する。
【０００６】
ブログの場合、大まかな情報構造は、どのユーザのものでも同一であるので、ブログを特徴付け、作者の意図を反映できるという点で、デザインテンプレートは、重要な要素である。
【特許文献１】特開平１１−２４９８６７号公報
【発明の開示】
【発明が解決しようとする課題】
【０００７】
ところが、デザインテンプレートは、スタイルシートに含まれている情報であるので、音声ブラウザのユーザに、デザインテンプレートを伝えることはできない。したがって、音声ブラウザのユーザは、通常のブラウザによってウェブコンテンツを閲覧するユーザよりも、同一のウェブコンテンツから受け取る情報量が少ないので、ウェブサイトを識別または判断する材料になる情報を得ることができないという問題がある。
【０００８】
本発明は、音声ブラウザを利用するユーザや、ブラウザの画面を見ることができない状況にあるユーザでも、ウェブページのデザインまたは見た目に関する情報を把握することができるウェブコンテンツ閲覧装置、ウェブコンテンツ閲覧層の制御方法及びプログラムを提供することを目的とするものである。
【課題を解決するための手段】
【０００９】
本発明は、所定のネットワークを介して、ウェブコンテンツを閲覧するウェブコンテンツ閲覧装置において、ＵＲＬを指定してアクセスしたウェブサーバから受信したコンテンツデータについて、スタイルシート情報を解析するスタイルシート情報解析手段と、上記ＵＲＬと、上記解析されたスタイルシート情報とに応じて、音声データを再生し、上記ウェブサイトのデザインに関する情報を、音声で提供する音声再生手段とを有することを特徴とするウェブコンテンツ閲覧装置である。
【発明の効果】
【００１０】
本発明によれば、ブログサイトのデザインテンプレート等、ウェブコンテンツのスタイルシートの情報に基づいて、音声ブラウザを利用するユーザや、ブラウザの画面を見ることができない状況にあるユーザでも、ウェブページのデザインまたは見た目に関する情報を把握することができるという効果を奏する。
【発明を実施するための最良の形態】
【００１１】
発明を実施するための最良の形態は、以下の実施例である。
【実施例１】
【００１２】
図１は、本発明の実施例１であるウェブコンテンツ閲覧システム１００を示すブロック図である。
【００１３】
ウェブコンテンツ閲覧システム１００は、ウェブコンテンツ閲覧装置１０と、インターネット２０と、ウェブサーバ３０とを有する。
【００１４】
ウェブコンテンツ閲覧装置１０は、インターネット２０を介して、ウェブコンテンツを閲覧する装置であり、制御部１１と、情報蓄積部１２と、情報解析部１３と、ネットワーク接続部１４と、映像表示部１５と、音声出力部１６と、入力部１７とを有し、たとえばパーソナルコンピュータ等で構成されている。つまり、ユーザは、インターネット２０を介して、ウェブサーバ３０にアクセスし、映像表示部１５に表示されているウェブコンテンツを閲覧する。
【００１５】
制御部１１は、ウェブコンテンツ閲覧装置１０の全体を制御する。
【００１６】
情報蓄積部１２は、データベースによって構成され、このデータベースは、ＵＲＬと、スタイルシート情報と、音声データとを格納している。この格納されている音声データは、上記ＵＲＬと上記スタイルシート情報とに対応付けられている。
【００１７】
情報解析部１３は、ＵＲＬを指定してアクセスしたウェブサーバから受信したコンテンツデータについて、スタイルシート情報を解析する。
【００１８】
なお、上記「スタイルシート」は、Ｗｅｂページのレイアウトを記述したファイルであり、フォントの種類や大きさ、色、行間、テキストの配置等、文書の視覚的構造を定義している。
【００１９】
スタイルシートを複数の文書で共有することによって、全体のデザインを統一することができる。
【００２０】
ネットワーク接続部１４は、インターネット２０と接続する。映像表示部１５は、ウェブコンテンツを表示するディスプレイであり、ユーザがそのウェブコンテンツを閲覧する。
【００２１】
音声出力部１６は、スピーカ等で構成され、ＵＲＬと、解析されたスタイルシート情報とに応じて、音声データを再生し、ウェブサイトのデザインに関する情報を、音声で提供する音声再生手段の例である。入力部１７は、キーボード・マウス等である。
【００２２】
制御部１１と音声出力部１６とは、ＵＲＬとスタイルシート情報とに応じて、音声データを再生することによって、ウェブサイトのデザインに関する情報を、音声で提供する音声再生手段の例である。
【００２３】
また、上記再生する音声データは、情報蓄積部１２内のデータベースに登録されているＵＲＬとスタイルシート情報とに応じて選択される音声データである。
【００２４】
次に、ウェブコンテンツ閲覧システム１００の動作について説明する。
【００２５】
図２は、ウェブコンテンツ閲覧システム１００の動作を示すフローチャートである。
【００２６】
まず、ウェブコンテンツ閲覧装置１０を起動し（Ｓ１）、入力部１７を介して、閲覧するＵＲＬを指定すると（Ｓ２）、制御部１１を介して、ネットワーク接続部１４がインターネット２０に接続し、入力されたＵＲＬのウェブサーバ３０にアクセスし、コンテンツデータを受信する（Ｓ３）。受信したコンテンツデータは、情報解析部１３が解析し（Ｓ４）、スタイルシートが使用されているかどうかを判断する（Ｓ５）。
【００２７】
受信したコンテンツデータに、スタイルシートが使用されていなければ、制御部１１がコンテンツデータを解釈し、映像表示部１５に表示し（Ｓ１１）、ユーザは、コンテンツデータが解釈されたものを閲覧する。
【００２８】
一方、受信したコンテンツデータに、スタイルシートが使用されていれば、まず、そのＵＲＬとスタイルシート情報とが、情報蓄積部１２内のデータベースに登録されているかどうかを調べる（Ｓ６）。
【００２９】
図３は、情報蓄積部１２に格納されているデータベースの例を示す図である。
【００３０】
情報蓄積部１２内のデータベースに、ＵＲＬとスタイルシート名と、上記ＵＲＬと上記スタイルシート名とに対応する音声データ名とが、記録されている。なお、音声データは、情報蓄積部１２に格納されているとする。
【００３１】
情報蓄積部１２内のデータベースに、該当するＵＲＬとスタイルシート名とが登録されていなければ、情報蓄積部１２に格納されているデータベースに、ＵＲＬとスタイルシート名とを新たに登録するかどうかを、ユーザに問い合わせる（Ｓ７）。ユーザが、そのＵＲＬとスタイルシート名とを新たに登録しないことを選択すると、制御部１１がコンテンツデータを解釈し、映像表示部１５に表示し（Ｓ１１）、ユーザが、上記コンテンツデータを解釈したものを閲覧する。
【００３２】
逆に、該当するＵＲＬとスタイルシートとを、情報蓄積部１２に格納されているデータベースに新たに登録することを、ユーザが選ぶと、情報蓄積部１２に格納されている音声データの中から、そのＵＲＬとスタイルシート名とに対応させるべき音声データを選択し、情報蓄積部１２に格納されているデータベースに追加登録する処理を実行する（Ｓ８）。
【００３３】
次に、受信したコンテンツデータにスタイルシートが使われ、そのＵＲＬとスタイルシート名とが、情報蓄積部１２内のデータベースに登録されている場合の動作について説明する。
【００３４】
情報蓄積部１２内のデータベースから、該当するＵＲＬとスタイルシート名とに対応する音声データ名を参照し、その音声データ名に対応する音声データを、情報蓄積部１２から取り出し、音声出力部１６へ送り（Ｓ９）、音声出力部１６が、音声データの再生を開始する（Ｓ１０）。そして、制御部１１で解釈したコンテンツデータを、映像表示部１５に表示し（Ｓ１１）、ユーザは、表示および音声再生されているコンテンツデータを閲覧する。
【００３５】
その後、入力部１７を介して、ＵＲＬが新たに指定されると（Ｓ１２）、Ｓ３の処理から、上記と同様に動作し、ＵＲＬを新たに指定せずに、ユーザから終了指示があれば（Ｓ１３）、一連の動作を終了する。
【００３６】
ここで、ユーザが、音声ブラウザ等の読み上げソフトウェアを利用している場合には、
（１）音声データの音量を小さくする。または、
（２）別にスピーカを用意して音声データを再生する（スピーカの置き場所を変える）。
【００３７】
このように、通常の読み上げ音声の聞き取りを阻害しないように制御することによって、音声ブラウザ等の読み上げソフトウェアを利用しながら、実施例１のシステムを利用することが十分に可能である。
【実施例２】
【００３８】
図４は、本発明の第２の実施例であるウェブコンテンツ閲覧システム２００を示すブロック図である。
【００３９】
ウェブコンテンツ閲覧システム２００は、基本的には、ウェブコンテンツ閲覧システム１００と同じであり、データベースや音声データが格納されている情報蓄積部１２が、ウェブコンテンツ閲覧装置１０から削除されているウェブコンテンツ閲覧装置１０ａが設けられ、また、サーバ４０が設けられ、サーバ４０は、情報蓄積部１２に対応する情報蓄積部４２を有する。
【００４０】
つまり、サーバ４０は、制御部４１と、情報蓄積部４２と、ネットワーク接続部４３とを有する。
【００４１】
ウェブコンテンツ閲覧システム２００の動作は、基本的には、ウェブコンテンツ閲覧システム１００と同じである。
【００４２】
上記実施例によれば、ウェブコンテンツのスタイルシートの情報から、対応する音声データを再生しながらウェブページを表示することによって、音声ブラウザを利用している目の不自由なユーザや、何らかの理由で表示画面を見ることができない状況にあるユーザも、ウェブサイトのデザインや見た目に関する情報を得ることができる。
【００４３】
つまり、たとえば、海を題材にしたデザインを使用しているウェブサイトに対して、波の音を記録した音声データが再生されるように対応付けておくことによって、音声のみでウェブコンテンツを閲覧するユーザにも、デザインまたは見た目の雰囲気を伝えることが可能になり、また、通常のブラウザで閲覧するユーザにとっても、視覚情報とは別に音声情報も提供するので、雰囲気やサイト製作者の意図をより効果的に伝えることができる。音声データに商品宣伝用の音声を用いて、広告として利用するようにしてもよい。
【００４４】
また、サイトにアクセスした際に再生される音声データに聞き覚えがあれば、内容の読み上げを聞くまでもなく既に訪れたことのあるサイトであることが分かる等、サイトの識別または判断の材料にもなり得、これによって、ユーザに安心感を与えるという効果も期待できる。
【００４５】
なお、上記実施例を、インターネット以外のネットワークに適用するようにしてもよい。
【００４６】
また、上記実施例を、方法の発明、プログラムの発明として把握することができる。
【００４７】
つまり、上記実施例は、所定のネットワークを介して、ウェブコンテンツを閲覧するウェブコンテンツ閲覧装置を制御する方法において、ＵＲＬを指定してアクセスしたウェブサーバから受信したコンテンツデータについて、スタイルシート情報を解析し、メモリに記憶するスタイルシート情報解析工程と、上記ＵＲＬと、上記解析されたスタイルシート情報とに応じて、音声データを再生し、上記ウェブサイトのデザインに関する情報を、音声出力部が音声で提供する音声再生工程とを有することを特徴とするウェブコンテンツ閲覧装置の制御方法の例である。
【００４８】
また、上記実施例は、所定のネットワークを介して、ウェブコンテンツを閲覧するウェブコンテンツ閲覧装置を制御するプログラムにおいて、ＵＲＬを指定してアクセスしたウェブサーバから受信したコンテンツデータについて、スタイルシート情報を解析し、メモリに記憶するスタイルシート情報解析手順と、上記ＵＲＬと、上記解析されたスタイルシート情報とに応じて、音声データを再生し、上記ウェブサイトのデザインに関する情報を、音声出力部が音声で提供する音声再生手順とをコンピュータに実行させるプログラムの例である。
【図面の簡単な説明】
【００４９】
【図１】本発明の実施例１であるウェブコンテンツ閲覧システム１００を示すブロック図である。
【図２】ウェブコンテンツ閲覧システム１００の動作を示すフローチャートである。
【図３】情報蓄積部１２に格納されているデータベースの例を示す図である。
【図４】本発明の第２の実施例であるウェブコンテンツ閲覧システム２００を示すブロック図である。
【符号の説明】
【００５０】
１０…ウェブコンテンツ閲覧装置、
１１、４１…制御部、
１２、４２…情報蓄積部（データベース）、
１３…情報解析部、
１４、４３…ネットワーク接続部、
１５…映像表示部、
１６…音声出力部、
１７…入力部、
２０…インターネット、
３０…ウェブサーバ、
４０…サーバ。
【図１】
2006134178.tif 000003
【図２】
2006134178.tif 000004
【図３】
2006134178.tif 000005
【図４】
2006134178.tif 000006